(57)【特許請求の範囲】
【請求項１】
モーターに付設する首振駆動手段と、前記モーターより垂設する支持軸と、この支持軸を回動自在に支持する受具と、この受具を俯仰自在に支持する支柱と、前記受具と前記モーターの間に挿入され前記支持軸を中心として前記受具に回動可能に支持されるレバー支持具と、前記レバー支持具に設けた垂直軸に回動可能に支持される首振角度調整用のレバーと、このレバーに水平方向に収納されるボールスプリングと、前記レバーの先端と前記首振駆動手段とを連結する首振用のロッドを有し、コネクターを備えたリード線を導入するための開口部と切欠きを前記レバー支持具に形成し、この切欠きの両端を結合する補強カバーを設け、この補強カバーはレバーの上下方向を規制する窓部を備えてなる扇風機の首振装置。
【請求項２】
レバー支持具に複数の小穴を備えたガイドプレートを設け、前記レバー支持具に装着される補強カバーは側面にて前記ガイドプレートの端面に当接して抜け止めになるとともに、前記補強カバーの側面でレバーの回動範囲を規制してなる請求項１記載の扇風機の首振装置。
【発明の詳細な説明】
【０００１】
【発明の属する技術分野】
本発明は、扇風機の首振角度を調整する扇風機の首振装置に関するものである。
【０００２】
【従来の技術】
一般に扇風機の風向方向を変更するために首振装置を用いているが、手動で行うものは首振中心方向を調節するための自由首振装置と、首振中心に対して首振角度を調節するための首振角度調整装置が使用されている。
【０００３】
従来、この種の扇風機の首振装置は、実開平２−３４７８７に記載されたものが知られている。
【０００４】
以下、扇風機の首振装置について図６〜図９を参照しながら説明する。
【０００５】
図６および図７に示すように基台１０９内を上下動する支柱１０８の先端には受具１０２が俯仰可能に挟持され、受具１０２に立設する支持部１０２ｂはモーター部１０１の支持軸１０１ａを回動自在に軸支している。また、受具１０２とモーター部１０１の間にレバー支持具１０４が挿入され、支持部１０２ｂに回動自在に軸支されている。レバー支持具１０４は下面に設けられた複数の凹部１０４ａの１つが受具１０２の円筒ボス１０２ａに収納されたボールスプリング１０３と圧接することにより、首振中心が位置決めされる。首振角度調整用のレバー１０５はレバー支持具１０４に立設するボス１０４ｂに中央付近で回動自在に装着され、レバー１０５の一端に設けた支持柱１０５ｂには首振用ロッド１０７の一端が連結され、首振ロッド１０７の他端はモーター部１０１の首振駆動カム１０１ｂに連結している。レバー１０５の他端には操作部１０５ａが設けられている。レバー１０５の下部にはボールスプリング１０６を収納する円筒ボス１０５ｃを設け、ボールスプリング１０６の先端がレバー支持具１０４に形成した複数の凹部１０４ｃの１つと圧接して位置決めされている。なお、操作部１０５ａはレバー支持具１０４の側端より立設する一対の上リブ１０４ｄに当接することでレバー１０５の回動範囲が規制され、またレバー支持具１０４から下方に延設した下リブ１０４ｅが受具１０２と当接することでレバー支持具１０４の回動範囲が規制されている。
【０００６】
上記構成において、レバー支持具１０４は受具１０２の支持部１０２ｂを中心として回動することで、モーター部１０１の首振中心方向を調節することができ、ボールスプリング１０３で付勢することで位置決めすることができる。また、操作部１０５ａを左右に移動させることで首振用ロッド１０７の支点である支持柱１０５ｂの位置が変化することになり、モーター支持軸１０１ａからの距離が変わるため、首振角度を変更することができる。このとき凹部１０４の位置をあらかじめ設定しておけば、首振角度を５０゜、７０゜、１００゜というように所定の値に変更できるものである。
【０００７】
また、図９に示すように首振角度調整装置をもたないものは、受具１０２の支持部１０２ｂに回動自在に軸支される上部１１４を有し、上部１１４は受具１０２に収納されたボールスプリング１０３と圧接して首振中心が位置決めされる。上部１１４に立設する支持柱１１４ａには首振ロッド１０７の一端が連結されており、首振駆動カム１０１ｂの回転によりモーター部１０１が左右首振するものである。
【０００８】
また、図６ないし図８に示すように、支柱１０８および受具１０２の内部を貫通してコネクター付リード線１１０をモーター部１０１に接続するためには、レバー支持具１０４に設けた開口部１０４ｆにコネクター１１１を縦向きに通してモーター部１０１の接続コネクター（図示せず）まで引き出して接続するものであった。
【０００９】
【発明が解決しようとする課題】
このような従来の扇風機の首振装置では、基台に接続されたリード線をモーターにコネクター接続する場合に前記リード線の先端に設けたコネクターをレバー支持具に設けられた穴に通さなければならず、レバー支持具に切欠きなどを有するものは変形しやすくなり、レバー操作時にがたつきが発生するという課題があり、レバー支持具が変形しやすい構造であってもレバーの操作性を良くすることが要求されている。
【００１０】
また、複数の小穴を備えたガイドプレートをレバ−支持具に装着したものでは、レバ−操作にともないガイドプレ−トがずれたり、外れやすくなるという課題があり、ガイドプレートが簡単にずれない構造が要求されている。
【００１１】
本発明は、このような従来の課題を解決するものであり、レバー支持具が変形しやすい形状でもレバー操作時のがたつきを抑えることができ、また、レバー支持具に装着したガイドプレートがずれないように保持することができる扇風機の首振装置を提供することを目的としている。
【００１２】
【課題を解決するための手段】
本発明の扇風機の首振装置は上記目的を解決するために、モーターに付設する首振駆動手段と、前記モーターより垂設する支持軸と、この支持軸を回動自在に支持する受具と、この受具を俯仰自在に支持する支柱と、前記受具と前記モーターの間に挿入され前記支持軸を中心として前記受具に回動可能に支持されるレバー支持具と、前記レバー支持具に設けた垂直軸に回動可能に支持される首振角度調整用のレバーと、このレバーに水平方向に収納されるボールスプリングと、前記レバーの先端と前記首振駆動手段とを連結する首振用のロッドを有し、コネクターを備えたリード線を導入するための開口部と切欠きを前記レバー支持具に形成し、この切欠きの両端を結合する補強カバーを設け、この補強カバーはレバーの上下方向を規制する窓部を備えたものである。
【００１３】
本発明によれば、レバー支持具が変形しやすい形状でもレバー操作時のがたつきを抑えることができる扇風機の首振装置が得られる。
【００１４】
また他の手段は、レバー支持具に複数の小穴を備えたガイドプレートを設け、前記レバー支持具に装着される補強カバーは側面にて前記ガイドプレートの端面に当接して抜け止めになるとともに、前記補強カバーの側面でレバーの回動範囲を規制したものである。
【００１５】
そして本発明によれば、レバー支持具に装着したガイドプレートがずれないように保持することができる扇風機の首振装置が得られる。
【００１６】
【発明の実施の形態】
本発明は、モーターに付設する首振駆動手段と、前記モーターより垂設する支持軸と、この支持軸を回動自在に支持する受具と、この受具を俯仰自在に支持する支柱と、前記受具と前記モーターの間に挿入され前記支持軸を中心として前記受具に回動可能に支持されるレバー支持具と、前記レバー支持具に設けた垂直軸に回動可能に支持される首振角度調整用のレバーと、このレバーに水平方向に収納されるボールスプリングと、前記レバーの先端と前記首振駆動手段とを連結する首振用のロッドを有し、コネクターを備えたリード線を導入するための開口部と切欠きを前記レバー支持具に形成し、この切欠きの両端を結合する補強カバーを設け、この補強カバーはレバーの上下方向を規制する窓部を備えたものであり、保護カバーがレバー支持具の切欠きの両端を結合して強化するとともに、補強カバ−に設けた横長の窓部に沿わせてレバーを左右に移動できるため、レバ−を円滑に動かすことができるという作用を有する。
【００１７】
また、レバー支持具に複数の小穴を備えたガイドプレートを設け、前記レバー支持具に装着される補強カバーは側面にて前記ガイドプレートの端面に当接して抜け止めになるとともに、前記補強カバーの側面でレバーの回動範囲を規制したものであり、保護カバーの側面はガイドプレ−ト端面と当接することにより、ガイドプレート自体がずれ動くのを防ぎ、さらにレバーの最大回動範囲を規制するという作用を有する。
【００１８】
以下、本発明の実施の形態について添付図面を参照しながら説明する。
【００１９】
【実施例】
（参考例１）
図１および図２に示すように、基台１０９内を上下動する支柱１０８の先端には受具１が装着され、受具１に立設する支持部１ｂはモーター部１０１の支持軸１０１ａを回動自在に軸支している。受具１とモーター部１０１の間にレバー支持具３が前記支持部１ｂに回動自在に軸支され、レバー支持具３の下面に設けられた複数の凹部３ａの１つが受具１の円筒ボス１ａに収納されたボールスプリング２に圧接されて、レバー支持具３は位置決めされる。首振角度調整用のレバー６はレバー支持具３に立設するボス３ｂに中央付近で回動自在に軸支され、その一端の連結軸６ｃにはモーター部１０１の首振駆動カム１０１ｂと連結した首振用のロッド１０７の一端が連結されており、他端には操作部６ａが設けられている。レバー６の収納部６ｂには水平方向にボールスプリング７が収納されており、レバー支持具の端面３ｄに装着されるプレート５に設けた複数の小穴５ａの１つと圧接して位置決めできるものである。
【００２０】
上記構成において、レバー６の操作部６ａを左右方向に動かすと連結軸６ｃを回動し、連結したロッド１０７の支点位置が変化し、モーター部１０１の支持軸１０１ａとの距離が変わるため、モーター部１０１の首振角度を変更することができる。ボールスプリング７がプレート５の小穴５ａに圧接して、位置決めすることができ、首振角度を５０°、７０°、１００°というように一定の値に設定することができる。このときレバー６の収納部６ｂにはボールスプリング７が水平方向に収納されているため、レバー６の厚み寸法は小さくなり、レバー支持具３と合わせた厚み寸法も短くできるため、受具１とモーター部１０１間の寸法ａは図６で示す寸法ｂより短縮され、受具１によるモーター部１０１の支持を安定化することができる。
【００２１】
また、レバー６に水平方向に収納したボールスプリング７がプレート５の小穴５ａに圧接する押圧力は、レバー６の回動軸となるボス３ｂに対して直角方向に加わるため、レバー６の操作部６ａを左右方向に移動するときにレバー６の上下方向のがたつきがなく、操作性を改善することができる。
【００２２】
（参考例２）
図３〜図５に示すように、受具１とモーター部１０１の間にレバー支持具３が前記支持部１ｂに回動自在に軸支されている。また、レバー支持具３にはリード線１１０を通すための開口部３ｆを設けるとともに、レバー支持具３に切欠き３ｃが形成され、リード線１１０を切欠き３ｃを通して開口部３ｆに挿入できるようになっている。
【００２３】
上記構成において、支柱１０８に通されたリード線１１０に備えられたコネクター１１１をモーター部１０１に配線処理する時に、リード線１１０をレバー支持具３の切欠き３ｃから開口部３ｆにそのまま挿入することができるので、レバー支持具３、モーター部１０１などの機構部品を先に受具１の支持部１ｂに組込んでからリード線の結線作業を行うことができ、組立作業だけでなく故障修理などの分解作業においてもリード線の処理を極めて簡単に行うことができる。
【００２４】
（実施例１）
図２〜図４（イ）に示すように、レバー支持具３には切欠き３ｃを備えた開口部３ｆが設けられている。またレバー支持具３の後部を覆う補強カバー４を設け、補強カバー４の一端より延設する連結リブ４ａを形成している。連結リブ４ａはレバー支持具３の切欠き３ｃ部分に架橋するように取り付けられ、切欠き３ｃの両側部分でねじ固定することにより補強できる構造となっている。
【００２５】
また、補強カバー４の後部は前方が開放した略箱形状をなし、後端面にレバー６の操作部６ａを突き出して左右にスライドするための横長の窓部４ｂを形成している。窓部４ｂの下辺に操作部６ａの下面を当接させることにより、レバー６をスライドさせるときの案内部となっている。
【００２６】
上記構成において、補強カバー４をレバー支持具３に取付け、切欠き３ｃを補強することにより、レバー支持具３が枠形状となり、レバー６の操作力に対してもねじれや変形を生じない構造となる。
【００２７】
また、補強カバー４の窓部４ｂの下辺に沿わせてレバー６の操作部６ａをスライドさせることにより、操作部６ａが上下にがたつくことなく、さらに前述のようにレバー支持具３を強固な形状とすることにより、外力による変形などがなく、安定した操作性を得ることができる。
【００２８】
（実施例２）
図２〜図４に示すように、レバー支持具３に曲面部３ｄを形成し、小穴５ａを複数個備えたガイドプレート５を曲面部３ｄに嵌合するようになっている。ガイドプレート５の端部に折曲片５ｂを形成し、共締め用ねじ穴５ｃを形成している。折曲片５ｂはレバー支持具３の側面に当接するとともに、ねじ穴５ｃは補強カバー４取付用の下穴と重なる位置関係となっている。なお、レバー支持具３にはレバー６を回動自在に軸支するボス３ｂが立設している。
【００２９】
上記構成において、組立手順を説明すると、レバー支持具３の曲面部３ｄにガイドプレート５を嵌め込むと、折曲片５ｂはレバー支持具３の切欠き３ｃのある側面に当接した状態となる。次にレバー６をレバー支持具３のボス３ｂに回動可能に取付け、レバー６下部に収納しているボールスプリング７をガイドプレート５の左側端部から乗り越えて圧接しながら右方向にスライドして、レバー支持具３の幅内に収める。さらに補強カバー４をレバー支持具３の後方から嵌め込み、補強カバー４の連結リブ４ａとレバー支持具３をねじ固定する。このときガイドプレート５の折曲片５ｂはレバー支持具３側面と補強カバー４の連結リブ４ａ内面に挟まれて保持されるとともに共締め固定されるため、ガイドプレート５のぐらつきや移動を防止することができる。
【００３０】
また、レバー６の操作部６ａは左方向へスライドするときに補強カバー４の左側壁に当接して回動が規制され、レバー６がガイドプレート５から外れるのを未然に防止することができる。
【００３１】
（参考例３）
図１〜図３に示すように、受具１の側壁１ｄの高さ寸法を短くするとともに、側壁１ｄの上端より水平方向に補強リブ１ｃを突設している。これにより図２に示す受具１の支持部からモーター部１０１下端までの寸法Ａは、図８に示す同一箇所の寸法Ｃと同一寸法となるようにしている。
【００３２】
上記構成において、受具１にはモーター部１０１や羽根ガード（図示せず）の重量を支えるため、内部応力が加わり側壁１ｄなどには応力集中を生じやすいが、水平方向の補強リブ１ｃを設けているので、側壁１ｄへの応力集中による変形や歪みを防ぎ、強度を維持できるようにしている。
【００３３】
また、受具１の支持部からモーター部１０１下端までの寸法Ａを従来と同一寸法とすることにより、扇風機の寸法を統一することができ、従来と同一の梱包部品を使用することができ、梱包作業の標準化ができるとともに流通段階（運搬、保管）の管理も容易にすることができる。
【００３４】
【発明の効果】
以上のように本発明によれば、レバー支持具の切欠きを結合する補強カバーによりレバー支持具を強化するとともに、補強カバーに設けた窓部がレバーのスライド操作時の案内部として働き、操作性がよくなるという効果のある扇風機の首振装置が提供できる。
【００３５】
また、レバー支持具に嵌合したガイドプレートの端面に補強カバーの側面を当接して取付けることによりガイドプレートのずれや移動が防止できるとともに、補強カバーの側面によりレバーの回動範囲を規制して、レバーがガイドプレートから外れるのを防止できるという効果のある扇風機の首振装置が提供できる。
【図面の簡単な説明】
【図１】  本発明の参考例１の扇風機の首振装置を示す分解斜視図
【図２】  同参考例１〜３および実施例１、２の要部断面図
【図３】    同参考例２、３および実施例１、２の分解斜視図
【図４】  （イ）同補強カバ−の外観斜視図
（ロ）同ガイドプレ−トの外観斜視図
【図５】  同リ−ド線取り付け時の要部斜視図
【図６】    従来の扇風機の首振装置を示す分解斜視図
【図７】    同要部断面図
【図８】    同リ−ド線取り付け時の要部斜視図
【図９】    従来の他の扇風機の要部断面図
【符号の説明】
１        受具
１ｃ      補強リブ
１ｄ      側壁
３        レバー支持具
３ｂ      ボス（垂直軸）
３ｃ      切欠き
３ｆ      開口部
４        補強カバー
４ｂ      窓部
５        ガイドプレート
５ａ      小穴
６        レバー
７        ボールスプリング
１０１    モーター部（モ−タ−）
１０１ａ  支持軸
１０１ｂ  首振駆動カム（首振駆動手段）
１０７    ロッド
１０８    支柱
１１０    リード線
１１１    コネクター
【図１】
0004124853.tif 000002
【図２】
0004124853.tif 000003
【図３】
0004124853.tif 000004
【図４】
0004124853.tif 000005
【図５】
0004124853.tif 000006
【図６】
0004124853.tif 000007
【図７】
0004124853.tif 000008
【図８】
0004124853.tif 000009
【図９】
0004124853.tif 000010